(57)【特許請求の範囲】
【請求項１】
天井面に設置される照明器具であって、
直管型であり軸方向を前記天井面に沿って保持される照明負荷を備えるとともに、
床面用透光領域が形成された下面部と、それぞれに壁面用透光領域が形成された１対の側面部と、前記壁面透光領域のそれぞれと前記床面透光領域との間に設けられ前記照明負荷から放射された光を遮る１対の遮光部とを有するセードを備え、
前記軸方向から見て前記天井面の設置領域の中心を通る鉛直線と前記照明負荷の中心を通る水平線との交点を原点とする鉛直角と、前記照明負荷から放射された光の全光束との関係のうち、
前記鉛直角０°から４５°までの範囲の総光束が前記全光束の３５％以上７０％未満かつ直射光の光束が前記全光束の１８％以上であり、
前記鉛直角４５°から６０°までの範囲の総光束が前記全光束の１０％以下であり、
前記鉛直角６０°から１２０°までの範囲の総光束が前記全光束の３０％以上６５％未満かつ直射光の光束が前記全光束の１５％以上である
ことを特徴とする照明器具。
【請求項２】
前記遮光部のそれぞれが可動自在であり、前記床面用透光領域及び前記壁面用透光領域の少なくとも一方の大きさが変わることを特徴とする請求項１記載の照明器具。
【請求項３】
前記鉛直角４５°から６０°までの方向から前記遮光部を視認したときの当該遮光部の輝度が１０００〜３０００ｃｄ／ｍ２であることを特徴とする請求項１又は２記載の照明器具。
【請求項４】
ベッドが置かれた病室の天井面に設置される照明器具であって、
床面を照射する総光束が前記全光束の３５％以上７０％未満であり、ベッド面を照射する総光束が前記全光束の１０％以下であり、壁面及び天井面を照射する総光束が前記全光束の３０％以上６５％未満であることを特徴とする請求項１記載の照明器具。
【請求項５】
請求項１〜３のいずれか記載の照明器具を、ベッドが置かれた病室の天井面に設置して用いる照明方法であって、
前記照明負荷から放射された光の全光束のうち、床面を照射する総光束が前記全光束の３５％以上７０％未満、ベッド面を照射する総光束が前記全光束の１０％以下、壁面及び天井面を照射する総光束が前記全光束の３０％以上６５％未満となるように前記病室を照射することを特徴とする照明方法。
【発明の詳細な説明】
【技術分野】
【０００１】
本発明は、照明器具及び照明方法に関するものである。
【背景技術】
【０００２】
従来、この種の照明器具は、室内空間の天井面に設置され、室内の一部に対してグレアカットを行いながら全体を照射するものである。一般的には、下方向の開口及び横方向の開口が形成されて配光される照明器具が多く、例えば下方向の開口からランプまでの鉛直距離を短くすることによって器具効率のほとんどを下方光束で確保している。
【０００３】
また、特許文献１には、住宅屋内の天井に設置され鉛直角１０°から６０°までの範囲の総光束を高めるような構成を備える屋内用照明器具が開示されている。
【特許文献１】特開２０００−９０７０８号公報（第３，４頁及び第１図）
【発明の開示】
【発明が解決しようとする課題】
【０００４】
室内空間の明るさ感を向上させるためには、床面照度や天井面照度を確保するだけでなく、壁面照度を確保する必要があることが明らかになっている。
【０００５】
しかしながら、上記従来の照明器具は、壁面を照射する光を確保しにくいものや、壁面を照射する配光を有する器具であったとしても器具効率が悪いものであるので、空間全体の明るさ感を向上させるために多数の照明器具を設置しなければならないという問題があった。
【０００６】
本発明は上記の点に鑑みて為されたものであり、その目的とするところは、壁面照度を効率的に確保して空間の明るさ感を向上させつつ器具効率のよい照明器具及び照明方法を提供することにある。
【課題を解決するための手段】
【０００７】
請求項１に記載の照明器具の発明は、天井面に設置される照明器具であって、直管型であり軸方向を前記天井面に沿って保持される照明負荷を備えるとともに、床面用透光領域が形成された下面部と、それぞれに壁面用透光領域が形成された１対の側面部と、前記壁面透光領域のそれぞれと前記床面透光領域との間に設けられ前記照明負荷から放射された光を遮る１対の遮光部とを有するセードを備え、前記軸方向から見て前記天井面の設置領域の中心を通る鉛直線と前記照明負荷の中心を通る水平線との交点を原点とする鉛直角と、前記照明負荷から放射された光の全光束との関係のうち、前記鉛直角０°から４５°までの範囲の総光束が前記全光束の３５％以上７０％未満かつ直射光の光束が前記全光束の１８％以上であり、前記鉛直角４５°から６０°までの範囲の総光束が前記全光束の１０％以下であり、前記鉛直角６０°から１２０°までの範囲の総光束が前記全光束の３０％以上６５％未満かつ直射光の光束が前記全光束の１５％以上であることを特徴とする。
【０００８】
この構成によれば、床面、天井面及び壁面方向に対して効率的に光を照射して床面、天井面及び壁面の明るさを確保することができるので、一部の方向への光の照射を抑制しながら、空間の明るさ感を確保することができるとともに、器具効率を向上させることができる。
【０００９】
この構成によれば、鉛直角４５°から６０°までの範囲に対応する遮光部から全光束の１０％以下の総光束しか放射されず、鉛直角０°から４５°までの範囲に対応する床面用透光領域から全光束の３５％以上７０％未満の総光束が放射し、鉛直角６０°から１２０°までの範囲に対応する壁面用透光領域から全光束の３０％以上６５％未満の総光束が放射することができる。
【００１０】
請求項２に記載の照明器具の発明は、請求項１に記載の発明において、前記遮光部のそれぞれが可動自在であり、前記床面用透光領域及び前記壁面用透光領域の少なくとも一方の大きさが変わることを特徴とする。この構成によれば、例えばベッド上の患者など、遮光すべき対象の位置のずれに対応して遮光範囲を微調整することができる。
【００１１】
請求項３に記載の照明器具の発明は、請求項１又は２に記載の発明において、前記鉛直角４５°から６０°までの方向から前記遮光部を視認したときの当該遮光部の輝度が１０００〜３０００ｃｄ／ｍ２であることを特徴とする。この構成によれば、遮光部と上記遮光部の周囲との明暗の対比が緩和されるので、照明器具からのグレアを低減することができる。
【００１２】
請求項４に記載の照明器具の発明は、請求項１に記載の発明において、ベッドが置かれた病室の天井面に設置される照明器具であって、床面を照射する総光束が前記全光束の３５％以上７０％未満であり、ベッド面を照射する総光束が前記全光束の１０％以下であり、壁面及び天井面を照射する総光束が前記全光束の３０％以上６５％未満であることを特徴とする。この構成によれば、ベッド上の患者に対してグレアを抑制しつつ、床面、天井面及び壁面に光を照射することで、病室全体の明るさ感を高めることができる。
【００１３】
請求項５に記載の照明方法の発明は、請求項１〜３のいずれかに記載の照明器具を、ベッドが置かれた病室の天井面に設置して用いる照明方法であって、前記照明負荷から放射された光の全光束のうち、床面を照射する総光束を前記全光束の３５％以上７０％未満、ベッド面を照射する総光束を前記全光束の１０％以下、壁面及び天井面を照射する総光束を前記全光束の３０％以上６５％未満となるように前記病室を照射することを特徴とする。この方法によれば、ベッド上の患者に対してグレアを抑制しつつ、床面、天井面及び壁面に光を照射することで、病室全体の明るさ感を高めることができる。
【発明の効果】
【００１４】
本発明によれば、一部の方向への光の照射を抑制しながら、床面、天井面及び壁面方向に対して効率的に光を照射することができるので、床面、天井面及び壁面の明るさを確保することで空間の明るさ感を確保することができるとともに、器具効率を向上させることができる。
【発明を実施するための最良の形態】
【００１５】
（実施形態１）
本発明の実施形態１について図１〜４を用いて説明する。図１〜３は、実施形態１の照明器具の構成を示す図である。図４は実施形態１の照明器具の配光曲線図である。
【００１６】
まず、実施形態１の基本的な構成について説明する。実施形態１の照明器具１は、図１に示すように、２本の直管ランプ（照明負荷）２，２と、灯具３と、反射板４と、セード５とを備えている。この照明器具１は、例えば部屋などの室内空間の天井面６に設置されている。
【００１７】
各直管ランプ２は、図１に示すように、例えば３２Ｗの直管型蛍光灯などであり、点灯装置２０から高周波電力が供給されると点灯し、点灯装置２０からの高周波電力の供給が停止されると消灯する。点灯装置２０は、長方形状の基板に複数の電子部品が半田などで実装されたものであり、入力側で電源（図示せず）と電気的に接続し、出力側で後述の各ソケット３１を介して直管ランプ２と電気的に接続する。基板は例えばプリント基板などである。電源は例えば商用電源などであり、交流電力を点灯装置２０に供給する。
【００１８】
灯具３は、図３に示すように、灯具本体３０と、２対のソケット３１・・・とを備えている。灯具本体３０は、例えば鋼板などの金属材料で細長い箱状に形成されたものであり、天井面６（図１参照）と対向する長方形状の底面部３００と、底面部３００の長手方向に沿った両縁から下方に延設された１対の側面部３０１，３０１と、底面部３００の短手方向に沿った両端に設けられた１対のソケット台３０２，３０２とを備えている。底面部３００には点灯装置２０が設置されている（図１参照）。各側面部３０１は、上部３２０と、下部３２１と、上部３２０と下部３２１の間に設けられた段差部３２２（図１参照）と、下部３２１の下端から下方に延設された断面Ｕ字状の先端部３２３（図１参照）とを備え、高反射白色粉体が塗装されている。各ソケット台３０２は、上部３３０と、上部３３０の外縁から下方に延設された中間部３３１と、中間部３３１の下端から内方に延設された凸状の下部３３２と、下部３３２の内縁から上方に延設された断面Ｌ字状の固定部３３３とを備え、高反射白色粉体が塗装されている。中間部３３１には凹部３３４が形成され、凹部３３４の底面には貫通孔３３５が形成されている。下部３３２の先端には貫通孔３３６が形成されている。固定部３３３の先端には貫通孔３３７が形成されている。各ソケット台３０２は、ねじ（図示せず）が貫通孔３３７に嵌め合わされることによって底面部３００にねじ止め固定される。
【００１９】
２対のソケット３１・・・のそれぞれは、例えばポリプロピレンなどの樹脂で形成され、各ソケット台３０２の下部３３２に設けられている。２対のソケット３１・・・は、図１に示すように、２本の直管ランプ２，２を、軸方向を天井面６に沿って同一方向にして保持している。
【００２０】
反射板４は、図３に示すように、例えば金属材料などで形成されたものであり、長方形状の下方反射面部４０と、下方反射面部４０の長手方向（直管ランプ２の軸方向）に沿った両端から斜め上方に傾斜して延設された１対の長方形状の側方反射面部４１，４１と、下方反射面部４０の短手方向に沿った両縁に設けられた１対の取付部４２，４２とを備えている。この反射板４は、図１に示すように、長手方向（直管ランプ２の軸方向）から見て、下方反射面部４０を各直管ランプ２の最上点の水平接線ａより上方に有するようにして設けられている。このときの直管ランプ２と反射板４の間の寸法は、各部品の製造上の寸法精度が合成された合成寸法精度を考慮して設定され、最悪の合成寸法精度となるような各部品の寸法精度となったとしても、直管ランプ２と反射板４の間にいくらかの隙間ができるように設定されている。
【００２１】
下方反射面部４０は水平面であり、直管ランプ２の軸方向から見て、各直管ランプ２から放射された光を下方に反射させるものである。これにより、下方反射面部４０で反射した光が後述の床面用透光開口５５を介して床面を照射することができる。また、図３に示すように、下方反射面部４０には１対の貫通孔４００，４００が形成されている。反射板４は、図１に示すように、ねじ４３が貫通孔３３６，４００に嵌め合わされることによって灯具３にねじ止め固定される。
【００２２】
１対の側方反射面部４１，４１のそれぞれは、直管ランプ２から放射された光を側方に反射させるものである。これにより、各側方反射面部４１で反射した光が後述の壁面用透光開口５７を介して壁面を照射することができる。このとき、各側方反射面部４１は、直管ランプ２の軸方向から見て、各直管ランプ２から放射された光を水平線から２０°以下の角度で反射させている。各取付部４２は、図３に示すように、下方反射面部４０の短手方向に設けられた底面部４２０と、底面部４２０から各側方反射面部４１に向かって設けられた１対の側面部４２１，４２１とを備えている。底面部４２０には１対の長方形状の貫通孔４２２，４２２が形成されている。各貫通孔４２２にはソケット３１が挿入される。
【００２３】
セード５は、図１に示すように、１対の遮光部５０，５０と、１対の第１の配光制御部５１，５１と、中央近傍に長手方向に沿って設けられた第２の配光制御部５２とを備えているとともに、図３に示すように、遮光部５０間を接続する１対の両端部５３，５３と、各両端部５３の上方に設けられた１対の接合部５４，５４とを備えている。つまり、上記セード５は、図２に示すように、床面用透光開口５５が形成された下面部５６と、それぞれに壁面用透光開口５７が形成された１対の側面部５８と、壁面用透光開口５７のそれぞれと床面用透光開口５５との間に設けられた１対の遮光部５０とを備えていることになる。
壁面用透光開口５７のそれぞれは、図１に示すように、直管ランプ２の軸方向から見て、直管ランプ２のうち上記壁面用透光開口５７に最も近くに保持されている直管ランプ２の中心を原点とする第１の鉛直角が下端で９０°以下となり上端で１３５°以上となるように形成されている。
【００２４】
各遮光部５０は、図３に示すように、例えば金属材料や樹脂などで断面Ｌ字状に形成されたものであり、長方形状の側面部５００と、側面部５００の下端から内方に延設された下面部５０１とを一体に備えている。各遮光部５０は、図１に示すように、各直管ランプ２から放射された光を遮る。特に、各遮光部５０は、直管ランプ２の軸方向から見て、壁面用透光開口５７を介して放射された光のうち直管ランプ２の最上点の水平接線から２０°以上の角度をなす光を遮断する。
【００２５】
第１の配光制御部５１，５１のそれぞれは、例えば金属材料や樹脂などで断面コ字状に形成され、遮光部５０に対向して内側に設けられたものであり、長方形状の側面部５１０と、側面部５１０の上端から外方に延設された上面部５１１と、側面部５１０の下端から外方に延設された下面部５１２とを一体に備えている。第１の配光制御部５１，５１のそれぞれは、下面部５０１，５１２を接合することによって遮光部５０に接合されている。第２の配光制御部５２は、例えば金属材料や樹脂などで断面Ｖ字状に形成されたものであり、左面部５２０と、右面部５２１とを一体に備えている。第１の配光制御部５１及び第２の配光制御部５２は、各直管ランプ２から放射された光による下方への照射を制御する。具体的には、直管ランプ２の軸方向から見て、直管ランプ２から放射された光のうち直管ランプ２の接線から４５°未満の角度をなす光を遮断する。
【００２６】
両端部５３は、図３に示すように、例えば金属材料や樹脂などで形成されたものである。また、各接合部５４は、例えば金属材料や樹脂などで形成されたものであり、底面部５４０と、底面部５４０の上下方向に沿った両縁から内方に延設された１対の側面部５４１とを一体に備えている。底面部５４０には貫通孔５４２が形成されている。上記セード５は、ねじ（図示せず）が貫通孔３３５，５４２に挿入されることによって灯具３にねじ止め固定される。
【００２７】
次に、実施形態１の照明器具１における光の照射について図４を用いて説明する。ここで、鉛直角は、直管ランプ２の軸方向から見て天井面６の設置領域の中心を通る鉛直線と各直管ランプ２の中心を通る水平線との交点を原点とする。各直管ランプ２から放射された光の全光束と鉛直角との関係のうち、鉛直角０°から４５°までの範囲の総光束が全光束の３５％以上７０％未満かつ直射光の光束が全光束の１８％以上であり、鉛直角４５°から６０°までの範囲の総光束が全光束の１０％以下であり、鉛直角６０°から１２０°までの範囲の総光束が全光束の３０％以上６５％未満かつ直射光の光束が前記全光束の１５％以上である。さらに、図３を用いて具体的に説明すると、照明器具１の配光は、図４に示すように、鉛直角０°から４５°までの範囲で全光束の４７％であり、鉛直角６０°から１２０°までの範囲で全光束の３３％である。これに対して、鉛直角４５°から６０°までの範囲では全光束の６％である。また、器具効率は、上方光束が２８％であり、下方光束が５４％であり、合計が８２％と高い。さらに、直射光の光束の割合も鉛直角０°から４５°までの範囲では１９．４％であり、鉛直角６０°から１２０°までの範囲では２０．６％である。合計も４０％となり非常に高い。これに対して、従来の照明器具における直射光の光束の割合は１９％以下と低い。
【００２８】
以上、実施形態１によれば、セード５の床面用透光開口５５及び壁面用透光開口５７を介して床面、天井面６及び壁面方向に対して効率的に光を照射して床面、天井面６及び壁面の明るさを確保することができるので、遮光部５０によって一部の方向への光の照射を抑制しながら、空間全体の明るさ感を確保することができるとともに、器具効率を向上させることができる。また、鉛直角４５°から６０°までの範囲に対応する遮光部５０から全光束の１０％以下の総光束しか放射されず、鉛直角０°から４５°までの範囲に対応する床面用透光開口５５から全光束の３５％以上７０％未満の総光束が放射し、鉛直角６０°から１２０°までの範囲に対応する壁面用透光開口５７から全光束の３０％以上６５％未満の総光束が放射することができる。
【００２９】
各直管ランプ２から上方に放射された光のうち一部を下方反射面部４０で下方に反射させ、残部を側方反射面部４１で側方に反射させることができるので、天井面６及び壁面の明るさと床面の明るさとのバランスをとることができる。また、反射板４の下方反射面部４０が、直管ランプ２の軸方向から見て、直管ランプ２の最上点の水平接線ａより上方に設けられているので、各直管ランプ２から上方に放射された光を下方反射面部４０で反射させることができるとともに、各直管ランプ２から壁面方向に放射された光が反射板４に衝突させることなく壁面用透光開口５７を介して壁面を照射することができる。
【００３０】
なお、実施形態１の変形例として、遮光部が乳白色のアクリルで形成されたものであってもよい。このような構成にすると、遮光部の輝度を１０００ｃｄ／ｍ２〜３０００ｃｄ／ｍ２にすることができ、遮光部と上記遮光部の周囲との明暗の対比が緩和されるので、照明器具からのグレアを低減することができる。
【００３１】
また、実施形態１の他の変形例として、遮光部がパンチングメタルで形成されたものであってもよい。このような構成にすると、遮光部の輝度を１０００ｃｄ／ｍ２〜３０００ｃｄ／ｍ２にすることができ、遮光部と上記遮光部の周囲との明暗の対比が緩和されるので、照明器具からのグレアを低減することができる。
【００３２】
（実施形態２）
本発明の実施形態２について図５を用いて説明する。図５は、照明器具が設置された病室を示す図である。
【００３３】
実施形態２は、図５に示すように、実施形態１の照明器具１が４床用の病室６０の中央通路部天井面６に設置された形態である。実施形態２の病室６０は、間口が５．５ｍ〜６ｍ、床面６１から天井面６までの高さが約２．６ｍの一般的な病室である。この病室６０には壁面６２，６２に沿って４床のベッド６３，６３が置かれ、各ベッド６３には患者６４が横たわっている。ベッド６３の高さは約６０ｃｍである。
【００３４】
実施形態２では、病室６０を、器具直下方向領域６５、患者方向領域６６及び器具水平方向領域６７の３領域に分割し、領域ごとに必要な光束を設定する。つまり、器具直下方向領域６５を鉛直角０°から４５°までの範囲とし、患者方向領域６６を鉛直角４５°から６０°までの範囲とし、器具水平方向領域６７を鉛直角６０°から１２０°までの範囲とする。また、実施形態２では、照明器具１の第１の配光制御部５１及び第２の配光制御部５２によって、横たわっている患者６４の目線に近い４５°の角度にグレアカット角が設定されている。
【００３５】
ここで、病室全体の明るさ感を高めるとともに患者６４への照明器具１からのグレアを抑制するために、天井面６及び壁面６２，６２の輝度や照度が高いこと、ＵＧＲ値が患者６４の視点で１９以下であることを必要とする。なお、ＵＧＲ値とは、国際照明委員会（ＣＩＥ）が定める照明器具１からの不快グレアの制限値であり、病室では１９とされている。実施形態２において、ＵＧＲ値は１８．７であり、グレアを適切に制限している。
【００３６】
以上、実施形態２によれば、第２の鉛直角０°から４５°までの範囲の総光束が全光束の３５％以上７０％未満であり、第２の鉛直角４５°から６０°までの範囲の総光束が全光束の１０％以下であり、第２の鉛直角６０°から１２０°までの範囲の総光束が全光束の３０％以上６５％未満である照明器具１によって、病室６０のベッド６３に横たわっている患者６４の目線などに光が直接照射されないようにグレアを抑制し、直管ランプ２の鉛直下方向の光束を確保しつつ、壁面６２，６２及び天井面６を光が照射することで、病室全体の明るさ感を高めることができる。
【００３７】
（実施形態３）
本発明の実施形態３について図６を用いて説明する。図６は、照明器具が設置された病室を示す図である。
【００３８】
実施形態３は、図６に示すように、実施形態１の照明器具１が４床用の病室６０の中央通路部天井面６に設置された形態である。実施形態３の病室６０は、間口が５．５ｍ〜６ｍ、床面６１から天井面６までの高さが約２．６ｍの一般的な病室である。この病室６０に患者（例えば身長１ｍ７０ｃｍ、目線の高さ１ｍ６５ｃｍ）６４が立っている。実施形態３では、照明器具１の遮光部５０及び側方反射面部４１（図１参照）によって、立っている患者６４の目線とのなす２０°の角度にグレアカット角が設定されている。
【００３９】
以上、実施形態３によれば、病室全体の明るさ感を確保し、器具効率を向上させつつ、照明器具１の遮光部５０及び側方反射面部４１（図１参照）によって、病室６０内で立っている患者６４の目線などに光が直接照射されないようにしてグレアを低減することができる。
【００４０】
（実施形態４）
本発明の実施形態４について図７〜１０を用いて説明する。図７〜９は、実施形態４の照明器具の構成を示す図である。図１０は実施形態４の照明器具の配光曲線図である。
【００４１】
まず、実施形態４の基本的な構成について説明する。実施形態４の照明器具１ａは、図７に示すように、１本の直管ランプ２と、灯具３ａと、反射板４ａと、セード５ａとを備えている。この照明器具１ａは、実施形態１の照明器具１（図１参照）と同様に、室内空間の天井面６に設置されている。なお、直管ランプ２は実施形態１の直管ランプと同様である。
【００４２】
灯具３ａは、図９に示すように、灯具本体３０ａと、１対のソケット３１，３１とを備えている。灯具本体３０ａは、実施形態１の底面部３００（図３参照）より幅の狭い長方形状の底面部３００ａと、１対の側面部３０１ａと、実施形態１のソケット台３０２（図３参照）より幅の狭い１対のソケット台３０２ａ，３０２ａとを備えている。各ソケット３１は、ソケット台３０２の下部に設けられ、図７に示すように、直管ランプ２を、軸方向を天井面６に沿って保持している。なお、灯具３ａは、上記以外の点において実施形態１の灯具３（図３参照）と同様である。
【００４３】
反射板４ａは、図９に示すように、実施形態１の下方反射面部４０（図３参照）より幅の狭い長方形状の下方反射面部４０ａと、下方反射面部４０ａの長手方向（直管ランプ２の軸方向）に沿った両端から斜め上方に傾斜して延設された１対の長方形状の側方反射面部４１ａと、側方反射面部４１ａの上端から上方に延設された側面部４４と、下方反射面部４０ａの短手方向に沿った両縁に設けられた１対の取付部４２ａ，４２ａとを備えている。なお、反射板４ａは、上記以外の点において実施形態１の反射板４（図３参照）と同様である。
【００４４】
セード５ａは、１対の遮光部５０ａ，５０ａと、１対の第１の配光制御部５１ａと、実施形態１の両端部５３（図３参照）より幅の狭い１対の両端部５３ａ，５３ａと、実施形態１の接合部５４（図３参照）より幅の狭い１対の接合部５４ａ，５４ａとを備えている。つまり、上記セード５ａは、床面用透光開口５５が形成された下面部５６と、それぞれに壁面用透光開口５７が形成された１対の側面部５８と、壁面透光開口５７のそれぞれと床面透光開口５５との間に設けられた１対の遮光部５０ａとを備えていることになる。なお、セード５ａは、上記以外の点において実施形態１のセード５（図３参照）と同様である。
【００４５】
次に、実施形態４の照明器具１ａにおける光の照射について図１０を用いて説明する。照明器具１ａの配光は、図１０に示すように、鉛直角０°から４５°までの範囲で全光束の３９％であり、鉛直角６０°から１２０°までの範囲で全光束の２７％である。これに対して、鉛直角４５°から６０°までの範囲では全光束の４％である。また、器具効率は、上方光束が３９％であり、下方光束が４２％であり、合計が８１％と高い。
【００４６】
以上、実施形態４によれば、１本の直管ランプ２の場合であっても、実施形態１と同様の効果を得ることができる。
【００４７】
（実施形態５）
本発明の実施形態５について図１１を用いて説明する。図１１は、照明器具が設置された病室を示す図である。
【００４８】
実施形態５は、図１１に示すように、実施形態４の照明器具１ａが病室６０ａに設置された形態である。実施形態５の病室６０ａは、間口が約３．２ｍ、床面６１ａから天井面６ａまでの高さが約２．６ｍの一般的な病室である。この病室６０ａにはベッド６３が置かれ、ベッド６３には患者６４が横たわっている。ベッド６３の高さは約６０ｃｍである。
【００４９】
実施形態５では、病室６０ａを、器具直下方向領域６５ａ、患者方向領域６６ａ及び器具水平方向領域６７ａの３領域に分割し、領域ごとに必要な光束を設定する。つまり、器具直下方向領域６５ａを鉛直角０°から４５°までの範囲とし、患者方向領域６６ａを鉛直角４５°から６０°までの範囲とし、器具水平方向領域６７ａを鉛直角６０°から１２０°までの範囲とする。また、実施形態５では、照明器具１ａの第１の配光制御部５１ａによって、横たわっている患者６４の目線に近い４５°の角度にグレアカット角が設定されている。
【００５０】
ここで、病室全体の明るさ感を高めるとともに患者への照明器具からのグレアを抑制するために、天井面６ａ及び壁面６２ａ，６２ａの輝度や照度が高いこと、ＵＧＲ値が患者６４の視点で１９以下であることを必要とする。
【００５１】
実施形態５では、直管ランプ２の軸方向から見て、天井面６ａの設置領域の中心を通る鉛直線と各直管ランプ２の中心を通る水平線との交点を原点とする第２の鉛直角と、各直管ランプ２から放射された光の全光束との関係のうち、第２の鉛直角０°から４５°までの範囲の総光束が全光束の３５％以上７０％未満であり、第２の鉛直角４５°から６０°までの範囲の総光束が全光束の１０％以下であり、第２の鉛直角６０°から１２０°までの範囲の総光束が全光束の３０％以上６５％未満である。
【００５２】
以上、実施形態５によれば、照明器具１ａの第１の配光制御部５１ａによって、病室６０ａのベッド６３に横たわっている患者６４の目線などに光が直接照射されないようにグレアを抑制し、直管ランプ２の鉛直下方向の光束を確保しつつ、側方及び斜め上方向を光が照射することで、病室全体の明るさ感を高めることができる。
【００５３】
（実施形態６）
本発明の実施形態６について図１２を用いて説明する。図１２は実施形態６の照明器具の外観斜視図である。
【００５４】
実施形態６の照明器具１ｂは、図１２に示すように、２本の直管ランプ２，２と、灯具３ｂと、反射板４ｂと、セード７とを備え、例えば病室の中央通路部天井面などに設置されている。なお、直管ランプ２は実施形態１の直管ランプと同様である。
【００５５】
反射板４ｂは、断面弧状の底面部４５と、底面部４５から下方に設けられた断面Ｖ字状の突出部４６とを備え、灯具３ｂに取り付けられている。
【００５６】
セード７は、透明パネル７０と、遮光固定部７１と、遮光可動部７２とを備えている。透明パネル７０は、曲面状に形成され、灯具３ｂを覆っている。遮光固定部７１は、透明パネル面の任意の位置に着脱可能である。遮光可動部７２は、可動自在であり、遮光固定部７１上をスライドすることを可能とする。これにより、床面用透光領域７３及び壁面用透光領域７４の少なくとも一方の大きさが変わる。
【００５７】
以上、実施形態６によれば、遮光可動部７２によって、例えばベッド上の患者など、遮光すべき対象の位置のずれに対応して遮光範囲を微調整することができる。
【００５８】
（実施形態７）
本発明の実施形態７について図１３を用いて説明する。図１３は実施形態７の照明器具の外観斜視図である。
【００５９】
実施形態７の照明器具１ｃは、図１３に示すように、２本の直管ランプ２，２と、灯具３ｂと、反射板４ｂとを、実施形態６の照明器具１ｂ（図１２参照）と同様に備えているが、実施形態６の照明器具１ｂにはない以下に記載の特徴部分を有する。
【００６０】
実施形態７の照明器具１ｃは、実施形態６のセード７に代えて、図１３に示すようなセード７ａを備えている。セード７ａは、透明パネル７０と、遮光固定部７１ａと、遮光可動部７１ａとを備えている。遮光固定部７１ａ及び遮光可動部７２ａは、乳白色のアクリルで形成されたものであり、この遮光固定部７１ａ及び遮光可動部７２ａの輝度を鉛直角４５°から６０°方向より視認したときに１０００ｃｄ／ｍ２〜３０００ｃｄ／ｍ２の範囲内になるように調整されている。輝度１０００ｃｄ／ｍ２は、例えば反射防止処理を施しディスプレイへの映り込み防止に重点を置いたＯＡ室専用器具のルーバなどの輝度に近く、照明器具１ｃからのグレアを感じにくい。一方、輝度３０００ｃｄ／ｍ２は、例えばＵＧＲ１９対応型器具のルーバなどの輝度に近く、グレアを感じにくく適度な明るさである。これにより、遮光固定部７１ａ及び遮光可動部７２ａと透明パネル７０との間で輝度の対比が大きくなることを抑制し、鉛直角４５°から６０°までの方向から照明器具１ｃを視認したときに遮光固定部７１ａ及び遮光可動部７２ａと周囲とで明暗の対比を緩和する。なお、セード７ａは、上記以外の点において実施形態６のセード７（図１２参照）と同様である。
【００６１】
以上、実施形態７によれば、鉛直角４５°から６０°までの範囲の総光束を全光束の１０％以下であって、遮光固定部７１ａ及び遮光可動部７２ａの輝度を１０００ｃｄ／ｍ２〜３０００ｃｄ／ｍ２の範囲にすることで、遮光固定部７１ａ及び遮光可動部７２ａと上記遮光固定部７１ａ及び遮光可動部７２ａの周囲との明暗の対比が緩和されるので、照明器具１ｃからのグレアを低減することができる。
【００６２】
（実施形態８）
本発明の実施形態８について図１４を用いて説明する。図１４は実施形態８の照明器具の外観斜視図である。
【００６３】
実施形態８の照明器具１ｄは、図１４に示すように、２本の直管ランプ２，２と、灯具３ｂと、反射板４ｂとを、実施形態７の照明器具１ｃ（図１３参照）と同様に備えているが、実施形態７の照明器具１ｃにはない以下に記載の特徴部分を有する。
【００６４】
実施形態８の照明器具１ｄは、実施形態７のセード７ａに代えて、図１４に示すようなセード７ｂを備えている。セード７ｂは、透明パネル７０と、遮光固定部７１ｂと、遮光可動部７２ｂとを備えている。遮光固定部７１ｂ及び遮光可動部７２ｂは、パンチングメタルなどで形成されたものである。なお、セード７ｂは、上記以外の点において実施形態７のセード７ａ（図１３参照）と同様である。
【００６５】
以上、実施形態８によれば、鉛直角４５°から６０°までの範囲の総光束を全光束の１０％以下であって、遮光固定部７１ｂ及び遮光可動部７２ｂの輝度を１０００ｃｄ／ｍ２〜３０００ｃｄ／ｍ２の範囲にすることで、遮光固定部７１ｂ及び遮光可動部７２ｂと上記遮光固定部７１ｂ及び遮光可動部７２ｂの周囲との明暗の対比が緩和されるので、照明器具１ｄからのグレアを低減することができる。
【００６６】
（実施形態９）
本発明の実施形態９について図１５を用いて説明する。図１５は実施形態９の照明器具の断面図である。
【００６７】
実施形態９の照明器具１ｅは、図１５に示すように、２本の直管ランプ２，２と、灯具３ｂと、反射板４ｂとを、実施形態７の照明器具１ｃ（図１３参照）と同様に備えているが、実施形態７の照明器具１ｃにはない以下に記載の特徴部分を有する。
【００６８】
実施形態９の照明器具１ｅは、実施形態７のセード７ａに代えて、図１５に示すようなセード７ｃを備えている。セード７ｃは、透明パネル７０と、遮光固定部７１ｃと、遮光可動部７２ｃとを備えている。遮光固定部７１ｃ及び遮光可動部７２ｃは、隙間からスリット光が照射するものである。
【００６９】
以上、実施形態９によれば、鉛直角４５°から６０°までの範囲の総光束を全光束の１０％以下であって、遮光固定部７１ｃ及び遮光可動部７２ｃの輝度を１０００ｃｄ／ｍ２〜３０００ｃｄ／ｍ２の範囲にすることで、遮光固定部７１ｃ及び遮光可動部７２ｃと上記遮光固定部７１ｃ及び遮光可動部７２ｃの周囲との明暗の対比が緩和されるので、照明器具１ｅからのグレアを低減することができる。
【００７０】
（実施形態１０）
本発明の実施形態１０について図１６を用いて説明する。図１６は実施形態１０の照明器具の断面図である。
【００７１】
実施形態１０の照明器具１ｆは、図１６に示すように、２本の直管ランプ２と、反射板４ｂと、セード７とを、実施形態６の照明器具１ｂ（図１２参照）と同様に備えているが、実施形態６の照明器具１ｂにはない以下に記載の特徴部分を有する。
【００７２】
実施形態１０の照明器具１ｆは、遮光可動部７２の移動に合わせて直管ランプ２を移動させることができるような灯具３ｃを備えている。
【００７３】
以上、実施形態１０によれば、遮光可動部７２だけでなく直管ランプ２の移動によって、例えばベッド上の患者など、遮光すべき対象の位置のずれや、病室などの室内空間の広さが異なる場合であっても、遮光範囲を微調整することができる。これにより、各領域からの光束の比率を一定にすることができるので、効果的に明るさ感を高めることができるとともに、グレアを抑制することができる。
【図面の簡単な説明】
【００７４】
【図１】本発明による実施形態１の照明器具の断面図である。
【図２】同上の照明器具の外観斜視図である。
【図３】同上の照明器具の分解斜視図である。
【図４】同上の照明器具の配光曲線図である。
【図５】本発明による実施形態２の照明器具が設置された病室に人が寝ている場合の図である。
【図６】本発明による実施形態３の照明器具が設置された病室に人が立っている場合の図である。
【図７】本発明による実施形態４の照明器具の断面図である。
【図８】同上の照明器具の外観斜視図である。
【図９】同上の照明器具の分解斜視図である。
【図１０】同上の照明器具の配光曲線図である。
【図１１】本発明による実施形態５の照明器具が設置された病室に人が寝ている場合の図である。
【図１２】本発明による実施形態６の照明器具の外観斜視図である。
【図１３】本発明による実施形態７の照明器具の外観斜視図である。
【図１４】本発明による実施形態８の照明器具の外観斜視図である。
【図１５】本発明による実施形態９の照明器具の断面図である。
【図１６】本発明による実施形態１０の照明器具の断面図である。
【符号の説明】
【００７５】
２  直管ランプ
５  セード
５０  遮光部
５５  床面用透光開口
５７  壁面用透光開口
【図１】
0004622919.tif 000002
【図２】
0004622919.tif 000003
【図３】
0004622919.tif 000004
【図４】
0004622919.tif 000005
【図５】
0004622919.tif 000006
【図６】
0004622919.tif 000007
【図７】
0004622919.tif 000008
【図８】
0004622919.tif 000009
【図９】
0004622919.tif 000010
【図１０】
0004622919.tif 000011
【図１１】
0004622919.tif 000012
【図１２】
0004622919.tif 000013
【図１３】
0004622919.tif 000014
【図１４】
0004622919.tif 000015
【図１５】
0004622919.tif 000016
【図１６】
0004622919.tif 000017